(57)【要約】【課題】歩行者大腿部保護性能を向上するとともに軽衝突時における車体の損傷を軽減した車体前部構造を提供する。【解決手段】フード前端部の下方に設けられ車幅方向にほぼ沿って伸びた車体構造部材２２と、車体構造部材から車両前方側に突出しかつ車幅方向にほぼ沿って伸びて形成され、車両の衝突時に変形することによってエネルギを吸収するエネルギ吸収部材１３０とを有する車体前部構造を、エネルギ吸収部材は、車幅方向における両端部において車体構造部材に固定されかつ車幅方向中央部においては前記車体構造部材との間に間隔１３０ａが設けられる構成とする。【選択図】図４
2014184903.tif 000002
【特許請求の範囲】
【請求項１】
フード前端部の下方に設けられ車幅方向にほぼ沿って伸びた車体構造部材と、
前記車体構造部材から車両前方側に突出しかつ車幅方向にほぼ沿って伸びて形成され、車両の衝突時に変形することによってエネルギを吸収するエネルギ吸収部材と
を有する車体前部構造であって、
前記エネルギ吸収部材は、車幅方向における両端部において前記車体構造部材に固定されかつ車幅方向中央部においては前記車体構造部材との間に間隔が設けられること
を特徴とする車体前部構造。
【請求項２】
前記エネルギ吸収部材と前記車体構造部材との結合部近傍に、車両前後方向の圧縮荷重に対する変形破壊強度を低くした脆弱部を設けたこと
を特徴とする請求項１に記載の車体前部構造。
【請求項３】
前記エネルギ吸収部材の車幅方向中央部における後縁部を車両前方側が凸となるアーチ状に形成したこと
を特徴とする請求項１又は請求項２に記載の車体前部構造。
【請求項４】
前記エネルギ吸収部材が取り付けられる前記車体構造部材は冷却装置を保持する実質的に矩形状の枠状部材であって、
前記エネルギ吸収部材の両端部は前記枠状部材の上辺部と側辺部との接続箇所近傍に取り付けられること
を特徴とする請求項１から請求項３までのいずれか１項に記載の車体前部構造。
【請求項５】
前記エネルギ吸収部材の下方にバンパビームが設けられ、
前記エネルギ吸収部材の前端部は、前記フード前端部と前記バンパビームの前端部とを結んだ直線よりも車両前方側に突出して配置されること
を特徴とする請求項１から請求項４までのいずれか１項に記載の車体前部構造。
【請求項６】
前記エネルギ吸収部材の前面部は、車幅方向に延在する凹凸形状を有すること
を特徴とする請求項１から請求項５までのいずれか1項に記載の車体前部構造。
【発明の詳細な説明】
【技術分野】
【０００１】
本発明は、自動車等の車体前部構造に関し、特に歩行者大腿部保護性能を向上するとともに軽衝突時における車体の損傷を軽減したものに関する。
【背景技術】
【０００２】
自動車等の車両の車体前部構造においては、歩行者と衝突した場合に歩行者の傷害を軽減する歩行者保護性能の向上が要求されている。
一般的な車高の乗用車においては、フード前端部付近が歩行者の大腿部に衝突する場合が多いことから、大腿部の傷害を抑制するためにはこの領域で効果的にエネルギを吸収可能な構造とすることが要求される。
【０００３】
車体前部構造における歩行者大腿部保護に関する従来技術として、例えば特許文献１には、フード前端部の下側に配置されるラジエータアッパサポートから前方側に突き出して配置されたブラケットによって歩行者衝突時にエネルギを吸収し、傷害の軽減を図ることが記載されている。
また、特許文献２には、バンパビーム前方に板金パネルによって形成された歩行者保護部材を設けることが記載されている。
【先行技術文献】
【特許文献】
【０００４】
【特許文献１】特願２００６−２６４４９５号公報
【特許文献２】特願２００７−    １３５８号公報
【発明の概要】
【発明が解決しようとする課題】
【０００５】
特許文献１に記載した従来技術のようにラジエータ上端の保持部材にエネルギ吸収部材を取付けることによって、歩行者保護性能の向上を図ることが可能である。
しかし、例えば他車両や壁面等との軽衝突時に、エネルギ吸収部材が歩行者衝突時よりも大きい荷重を受けた場合には、エネルギ吸収部材が車体構造部材を押すことによって、車体構造部材の損傷が発生して修理に要する工数、コスト等が増加することが懸念される。
上述した問題に鑑み、本発明の課題は、歩行者大腿部保護性能を向上するとともに軽衝突時における車体の損傷を軽減した車体前部構造を提供することである。
【課題を解決するための手段】
【０００６】
本発明は、以下のような解決手段により、上述した課題を解決する。
請求項１に係る発明は、フード前端部の下方に設けられ車幅方向にほぼ沿って伸びた車体構造部材と、前記車体構造部材から車両前方側に突出しかつ車幅方向にほぼ沿って伸びて形成され、車両の衝突時に変形することによってエネルギを吸収するエネルギ吸収部材とを有する車体前部構造であって、前記エネルギ吸収部材は、車幅方向における両端部において前記車体構造部材に固定されかつ車幅方向中央部においては前記車体構造部材との間に間隔が設けられることを特徴とする車体前部構造である。
これによれば、歩行者大腿部との衝突によってエネルギ吸収部材の中央部に局所的に荷重が入力された場合には、エネルギ吸収部材が弓なりに湾曲変形することによってエネルギを吸収する。また、エネルギ吸収部材の車幅方向外側の領域に局所的に荷重が入力された場合には、エネルギ吸収部材の車体構造部材との連結部が圧壊することによってエネルギを吸収し、傷害を抑制することができる。
一方、他車両等との軽衝突によってエネルギ吸収部材が車幅方向の比較的広範囲にわたって車両後方側へ押された場合には、エネルギ吸収部材が弓なりに変形することによってエネルギを吸収する。このとき、エネルギ吸収部材の中央部と車体構造部材との間に間隔が設けられているため、エネルギ吸収部材が車体構造部材を直接押すことが防止され、車体の損傷を抑制することができる。
さらに、エネルギ吸収部材の湾曲変形ではエネルギを吸収しきれない場合には、エネルギ吸収部材と車体側部材との連結部が圧壊することによってエネルギを吸収し、車体側部材へ伝達される荷重を抑制して車体側部材の損傷を抑制することができる。
【０００７】
請求項２に係る発明は、前記エネルギ吸収部材と前記車体構造部材との結合部近傍に、車両前後方向の圧縮荷重に対する変形破壊強度を低くした脆弱部を設けたことを特徴とする請求項１に記載の車体前部構造である。
これによれば、歩行者大腿部がエネルギ吸収部材の両端部近傍に衝突した場合には、脆弱部が変形破壊することによってエネルギ吸収し、傷害を抑制することができる。
また、軽衝突時においても、脆弱部が変形破壊することによって車体構造部材に伝達される荷重を低減し、車体の損傷を抑制することができる。
【０００８】
請求項３に係る発明は、前記エネルギ吸収部材の車幅方向中央部における後縁部を車両前方側が凸となるアーチ状に形成したことを特徴とする請求項１又は請求項２に記載の車体前部構造である。
これによれば、荷重入力時に入力された荷重を車幅方向に伝搬させてエネルギ吸収部材の中央部を確実に弓なり状に変形させることが可能となり、上述した効果を確実に得ることが可能となる。
【０００９】
請求項４に係る発明は、前記エネルギ吸収部材が取り付けられる前記車体構造部材は冷却装置を保持する実質的に矩形状の枠状部材であって、前記エネルギ吸収部材の両端部は前記枠状部材の上辺部と側辺部との接続箇所近傍に取り付けられることを特徴とする請求項１から請求項３までのいずれか１項に記載の車体前部構造である。
これによれば、車体構造部材として比較的強固な枠状部材のコーナ部にエネルギ吸収部材を取付けることによって、上述した効果をより確実に得ることができる。
【００１０】
請求項５に係る発明は、前記エネルギ吸収部材の下方にバンパビームが設けられ、前記エネルギ吸収部材の前端部は、前記フード前端部と前記バンパビームの前端部とを結んだ直線よりも車両前方側に突出して配置されることを特徴とする請求項１から請求項４までのいずれか１項に記載の車体前部構造である。
これによれば、歩行者との衝突時に歩行者大腿部がフード前端部に干渉する前にエネルギ吸収部材によって確実にエネルギ吸収を行うことができ、フード前端部による歩行者大腿部への加害を抑制することができる。
【００１１】
請求項６に係る発明は、前記エネルギ吸収部材の前面部は、車幅方向に延在する凹凸形状を有することを特徴とする請求項１から請求項５までのいずれか１項に記載の車体前部構造である。
これによれば、歩行者脚部との衝突により局所的に荷重が入力された場合であっても車幅方向に荷重を分散させ、良好にエネルギ吸収を行うことができる。
【発明の効果】
【００１２】
以上説明したように、本発明によれば、歩行者大腿部保護性能を向上するとともに軽衝突時における車体の損傷を軽減した車体前部構造を提供することができる。
【図面の簡単な説明】
【００１３】
【図１】本発明を適用した車体前部構造の実施例を車両前方側の斜め上方側から見た斜視図である。
【図２】実施例の車体前部構造を車両前方側の斜め下方側から見た斜視図である。
【図３】実施例の車体前部構造を上方から見た平面図である。
【図４】実施例の車体前部構造におけるエネルギ吸収部材周辺の部品構成を示す分解斜視図である。
【図５】図３のＶ−Ｖ部矢視断面図である。
【図６】図３のVI−VI部矢視断面図である。
【図７】実施例の車体前部構造におけるエネルギ吸収部材の歩行者大腿部との衝突時における挙動を示す模式図である。
【図８】実施例の車体前部構造におけるエネルギ吸収部材の対車両軽衝突時における挙動を示す模式図である。
【発明を実施するための形態】
【００１４】
本発明は、歩行者大腿部保護性能を向上するとともに軽衝突時における車体の損傷を軽減した車体前部構造を提供する課題を、後縁部が車両前方側が凸となるよう弓なり状に湾曲したエネルギ吸収部材の両端部を、脆弱部を介してラジエータパネルに取付け、エネルギ吸収部材の中央部とラジエータパネルとの間に間隔を設けることによって解決した。
【実施例】
【００１５】
以下、本発明を適用した車体前部構造の実施例について説明する。
実施例の車体前部構造は、例えば乗用車等の自動車の車体前部に設けられるものである。
図１は、実施例の車体前部構造を車両前方側の斜め上方側から見た斜視図である。
図２は、実施例の車体前部構造を車両前方側の斜め下方側から見た斜視図である。
図３は、実施例の車体前部構造を上方から見た平面図である。
図４は、実施例の車体前部構造におけるエネルギ吸収部材周辺の部品構成を示す分解斜視図である。
図５は、図３のＶ−Ｖ部矢視断面図である。
図６は、図３のVI−VI部矢視断面図である。
なお、図１乃至４において、車両外装部材やエンジン、補機類、サスペンション等は理解を容易にするために図示を省略している。
【００１６】
車体前部構造１は、フロントサイドフレーム１０、ラジエータパネル２０、ストラット収容部３０、フロントアッパフレーム４０、フード５０、バンパフェイス６０、バンパビーム７０、エネルギ吸収部材１００等を有して構成されている。
【００１７】
フロントサイドフレーム１０は、車両の前後方向にほぼ沿って伸びるとともに、車幅方向に離間して一対が配置された車体の主要構造部材である。
フロントサイドフレーム１０は、車室とその前方側のエンジンルームとを区画する隔壁である図示しないトーボードの下部から、車両前方側に突出している。
フロントサイドフレーム１０は、エンジンルームの左右に沿って配置されている。
フロントサイドフレーム１０は、車両前方側から見た断面形状が矩形の閉断面となっている。
【００１８】
ラジエータパネル２０は、フロントサイドフレーム１０の前端部に取り付けられた枠状の部分であって、図示しないラジエータコア及びエアコンディショナのコンデンサを保持するものである。
ラジエータパネル２０は、ラジエータパネルサイド２１、ラジエータパネルアッパ２２、ラジエータパネルロワ２３、センターメンバ２４等を有して構成されている。
【００１９】
ラジエータパネルサイド２１は、ラジエータパネル２０の左右の側辺部を構成する部材である。
ラジエータパネルサイド２１は、上下方向に延びた柱状に形成されている。
ラジエータパネルサイド２１は、上下方向における中間部の車幅方向外側の部分を、フロントサイドフレーム１０の前端部近傍における車幅方向内側の面部に結合されている。
【００２０】
ラジエータパネルアッパ２２は、左右のラジエータパネルサイド２１の上端部間を連結する部材である。
ラジエータパネルアッパ２２は、車幅方向に延びた梁状に形成されている。
ラジエータパネルロワ２３は、左右のラジエータパネルサイド２１の下端部間を連結する部材である。
ラジエータパネルロワ２３は、車幅方向に延びた梁状に形成されている。
センターメンバ２４は、ラジエータパネルアッパ２２、ラジエータパネルロワ２３の車幅方向における中間部の間を上下方向に連結する梁状の部材である。
また、ラジエータパネルアッパ２２の車幅方向における中央部には、フード５０の前端部を係止する図示しないフードキャッチャが取り付けられている。
【００２１】
ストラット収容部３０は、図示しないマクファーソンストラット式フロントサスペンションに設けられるストラットを収容する部分である。
ストラット収容部３０は、フロントサイドフレーム１０の後部における車幅方向外側の部分から、上方かつ車幅方向外側に張り出して形成されている。
ストラット収容部３０の上端部に設けられたストラットアッパマウント３１は、ストラットの上端部をロッド中心軸回りに回動可能に支持するものである。
【００２２】
フロントアッパフレーム４０は、ヘッドライトアッパメンバ４１と協働してストラット収容部３０の上部とラジエータパネルアッパ２２の側端部との間を連結する部材である。
フロントアッパフレーム４０は、ストラット収容部３０の上部から前方側に突き出して形成され、その前端部は図示しないヘッドライトユニットの上部を保持するヘッドライトアッパメンバ４１に接続されている。
ヘッドライトアッパメンバ４１は、ラジエータパネルアッパ２２の左右側端部から車幅方向外側に突き出して形成されている。
【００２３】
図５、図６に示すフード５０は、エンジンルームの上部に開閉可能に設けられるリッドである。
フード５０は、後端部に設けられる図示しないヒンジ回りに回動可能に車体に取り付けられている。
フード５０の前端部近傍における下部には、ラジエータパネルアッパ２２に取り付けられたフードキャッチに係止される図示しないストライカが設けられている。
フード５０の前端部には、ゴム製のシール５１が設けられている。
【００２４】
図５、図６に示すバンパフェイス６０は、例えばＰＰ系等の樹脂材料によって形成された外装部材であって、車両の前端部に設けられるものである。
バンパフェイス６０の上端部は、フード５０の前端部と隣接して配置されている。
バンパフェイス６０の前面部には、走行風を導入する枠状体であるグリル６１等が設けられている。
【００２５】
バンパビーム７０は、バンパフェイス６０の車両後方側の面部に対向して配置され、車幅方向にほぼ沿って延びた梁状の部材である。
バンパビーム７０は、車両の前面衝突時に荷重伝達を行うものである。
バンパビーム７０の後面部は、図示しないステーを介して、フロントサイドフレーム１０の前端部に結合されている。
バンパビーム７０は、例えば、鋼板をプレス成型したパネルを集成する等して、閉断面を有するように構成されている。
バンパビーム７０の前面部には、例えばフォーム材等によって形成されたエネルギ吸収材７１が前方側へ突き出して取り付けられている。
【００２６】
エネルギ吸収部材１００は、ラジエータパネルアッパ２２から車両前方側に突き出して配置され、歩行者大腿部との衝突時、あるいは、他車両との軽衝突時等に変形することによってエネルギ吸収を行う部材である。
エネルギ吸収部材１００は、ベースパネル１１０、ブラケット１２０、本体部１３０等を有して構成されている。
これら各部材はそれぞれ鋼板をプレス成型したパネルとして形成され、スポット溶接等によって相互に接合されている。
【００２７】
ベースパネル１１０は、本体部１３０が取り付けられる基部となるパネル状の部材である。
ベースパネル１１０は、上下方向及び車幅方向にほぼ沿って延び、上部が下部に対して段状に前方側に突き出して形成されている。
ベースパネル１１０の上端部は、バンパフェイス６０の上端部に固定されている。
【００２８】
ブラケット１２０は、ベースパネル１１０の左右側端部を、ラジエータパネル２０におけるラジエータパネルアッパ２２の側端部とラジエータパネルサイド２１の上端部との接合部（コーナ部）に結合するものである。
ブラケット１２０は、ベースパネル１１０の後面部から車両後方側に突き出して配置されている。
【００２９】
本体部１３０は、ベースパネル１１０の前面部に、前方側に突き出して取り付けられ、衝突時にエネルギ吸収を主に行う部材である。
図５、図６等に示すように、本体部１３０は、前面部１３１、上面部１３２、下面部１３３等を一体に形成して構成されている。
【００３０】
前面部１３１は、上下方向及び車幅方向に沿って延びた面部である。
前面部１３１は、バンパフェイス６０の上端部近傍における後面部に対して、間隔を隔てて対向して配置されている。
前面部１３１の下部には、車両前方側へ突き出したリブ１３１ａが形成されている。
リブ１３１ａは、本体部１３０の長手方向（左右方向）に沿って実質的に全長にわたって形成されている。
リブ１３１ａの前端部は、フード５０の前端部とバンパビーム７０のエネルギ吸収材７１の前端部とを結んだ直線Ｌ（図６参照）に対して、車両前方側に突き出して配置されている。
【００３１】
上面部１３２は、前面部１３１の上端部から後方側へ突き出している。
上面部１３２の後端部には、上方へ突き出したフランジ部１３２ａが形成されている。
フランジ部１３２ａは、ベースパネル１１０の前面部の上部に、例えばスポット溶接等によって固定されている。
上面部１３２の車幅方向両端部における前後方向の中間部には、図６に示すように、上方が凸となるように上面部１３２を屈曲させて形成される稜線１３２ｂが配置されている。
稜線１３２ｂは、実質的に車幅方向に沿って延在している。
この稜線１３２ｂは、本体部１３０に前後方向の圧縮荷重が作用した場合に、上面部１３２の座屈変形を誘発させる脆弱部として機能する。
また、前面部１３１と上面部１３２との接続部の裏面には、エネルギ吸収部材の前端ぶの剛性を高め、衝突初期の荷重立ち上がりをより早くするため、図示しないパッチ（ダブラ）を設ける構成としてもよい。
【００３２】
下面部１３３は、前面部１３１の下端部から後方側へ突き出している。
下面部１３３の後端部には、下方へ突き出したフランジ部１３３ａが形成されている。
フランジ部１３３ａは、ベースパネル１１０の前面部の下部に、例えばスポット溶接等によって固定されている。
【００３３】
前面部１３１は、上方から見たときに、車両前方側が凸となるように、わずかに湾曲して形成されている。
また、本体部１３０の車幅方向中央部における後部には、上面部１３２、下面部１３３の後縁部を前方側にアーチ状に凹ませて形成された空間部１３０ａが形成されている。
空間部１３０ａにおいては、上面部１３２、下面部１３３の後縁部は、ベースパネル１１０に対して間隔を隔てて対向して配置される。
上面部１３２における稜線１３２ｂは、この空間部１３０ａにおいて分断され、その両側に配置されている。
【００３４】
次に、上述した実施例における衝突時の挙動、作用効果について説明する。
図７は、実施例の車体前部構造におけるエネルギ吸収部材の歩行者大腿部との衝突時における挙動を示す模式図である。
図７（ａ）は、歩行者大腿部を模したインパクタが車幅方向中央部に衝突した状態を上方から見た模式図である。
インパクタＩは、歩行者の大腿部のサイズ、質量、硬さ等を模した円柱状に形成されている。
インパクタＩが中央部に衝突した場合、本体部１３０は、中央部が側端部に対して後退し、空間部１３０ａが狭まる方向に湾曲変形することによってエネルギを吸収する。
このとき、前面部１３１に形成されたリブ１３１ａは、本体部１３０の局所的な変形を抑制するため、車幅方向に荷重を伝搬する機能を有する。
【００３５】
図７（ｂ）は、インパクタが車幅方向における側端部近傍に衝突した状態を上方から見た模式図である。
図７（ｃ）は、図７（ｂ）のｃ−ｃ部模式的矢視断面図である。
インパクタＩが側端部近傍に衝突した場合にも本体部１３０の湾曲変形は生じるが、中央部に対して変形し難い傾向となる。
そこで、本実施例では、側端部近傍にインパクタＩが衝突した場合には、図７（ｃ）に示すように上面部１３２、下面部１３３が座屈変形するよう断面変形させることによって、エネルギ吸収を行い、中央部、側端部のどちらにインパクタＩが衝突した場合にも、発生する荷重が実質的に同等となるようにチューニングしている。
図７（ｃ）に示すように、前後方向に所定以上の圧縮荷重が負荷されると、上面部１３２は上方に凸となり、下面部１３３は下方に凸となるように座屈変形する。
上面部１３２は、稜線１３２ｂを設けたことによって、座屈変形が生じる荷重を低下させ、ブラケット１２０、ラジエータパネル２０等へ伝達される荷重が低下するようにチューニングされている。
【００３６】
図８は、実施例の車体前部構造におけるエネルギ吸収部材の対車両軽衝突時における挙動を示す模式図である。
図８は、他車両の前部を模したバリアＢが、本体部１３０の車幅方向における中央部に正面衝突した状態を上方から見た模式図である。
バリアＢは、車幅方向における比較的広範囲にわたって本体部１３０の前面部１３１に荷重を負荷する。
これによって、本体部１３０は、中央部が側端部に後退し、空間部１３０ａが狭まる方向に湾曲変形することによってエネルギを吸収し、さらに、この湾曲変形によって吸収しきれないエネルギを、図７（ｃ）に示した例と同様の断面変形によって吸収する。
このとき、本体部１３０の上面部１３２、下面部１３３の側端部から、ベースパネル１１０、ブラケット１２０に伝達される荷重は、ラジエータパネル２０の変形破壊が生じないことを考慮して設定された所定値以下となるように設定されている。
【００３７】
以上説明したように、本実施例によれば、以下の効果を得ることができる。
（１）本体部１３０の後縁部をアーチ状に形成してベースパネル１１０との間に空間部１３０ａを形成したことによって、歩行者大腿部との衝突や対車両の軽衝突時に本体部１３０の中央部が後退する方向に湾曲変形させてエネルギ吸収を行うことができる。
このとき、本体部１３０がフードキャッチャ等の後方側に設けられた他部品を押圧しないため、他部品の損傷を防止することができる。
（２）本体部１３０の湾曲変形のみでは十分なエネルギ吸収ができない場合に、上面部１３２、下面部１３３の側端部近傍の領域を座屈変形させる構成としたことによって、本体部１３０の側端部近傍に歩行者の大腿部が衝突した場合や、軽衝突時に、効果的にエネルギ吸収を図ることができる。
また、これによって、歩行者の大腿部が衝突する位置が車幅方向に変化した場合であっても荷重が極端に変化することを防止でき、歩行者保護性能を向上することができる。
（３）本体部１３０の前面部１３１に、車幅方向に延びたリブ１３１ａを設けたことによって、局所的に歩行者大腿部が衝突した場合であっても、車幅方向に荷重を分散させて効率よくエネルギ吸収を行うことができる。
【００３８】
（変形例）
本発明は、以上説明した実施例に限定されることなく、種々の変形や変更が可能であって、それらも本発明の技術的範囲内である。
例えば、車体前部構造を構成する各部材の形状、構造、材質、製法等は上述した実施例に限定されず、適宜変更することが可能である。
【符号の説明】
【００３９】
１０    フロントサイドフレーム        ２０    ラジエータパネル
２１    ラジエータパネルサイド        ２２    ラジエータパネルアッパ
２３    ラジエータパネルロワ          ２４    センターメンバ
３０    ストラット収容部              ３１    ストラットアッパマウント
４０    フロントアッパフレーム        ４１    ヘッドライトアッパメンバ
５０    フード                        ５１    シール
６０    バンパフェイス                ６１    グリル
７０    バンパビーム                  ７１    エネルギ吸収材
１００    エネルギ吸収部材            １１０    ベースパネル
１２０    ブラケット                  １３０    本体部
１３１    前面部                      １３１ａ  リブ
１３２    上面部                      １３２ａ  フランジ部
１３２ｂ  稜線                        １３３    下面部
１３３ａ  フランジ部
【図１】
2014184903.tif 000003
【図２】
2014184903.tif 000004
【図３】
2014184903.tif 000005
【図４】
2014184903.tif 000006
【図５】
2014184903.tif 000007
【図６】
2014184903.tif 000008
【図７】
2014184903.tif 000009
【図８】
2014184903.tif 000010